(57)【要約】【課題】  画像を表示する表示部を備えた頭部装着型ディスプレイにおいて、頭部装着型ディスプレイと撮像装置とを接続して使用する際に、適切な撮影状態で撮影可能な頭部装着型ディスプレイを提供すること。【解決手段】  画像を表示する表示部を備えた頭部装着型ディスプレイにおいて、頭部装着型ディスプレイに対して、所定の姿勢に撮像装置を取り付け可能な固定部を備える。なお、固定部は、頭部装着型ディスプレイを基準とした撮像装置の姿勢を変更可能であっても良い。また、撮像装置の姿勢の変更量を検出する検出部をさらに備えても良い。また、検出部は、撮像装置における光軸と、表示部の表示方向との差異に基づいて、変更量を検出しても良い。また、表示部は、検出部による検出結果を表示しても良い。【選択図】      図１
2008070551.tif 000002
【特許請求の範囲】
【請求項１】
画像を表示する表示部を備えた頭部装着型ディスプレイにおいて、
前記頭部装着型ディスプレイに対して、所定の姿勢に撮像装置を取り付け可能な固定部を備えた
ことを特徴とする頭部装着型ディスプレイ。
【請求項２】
請求項１に記載の頭部装着型ディスプレイにおいて、
前記頭部装着型ディスプレイをユーザの頭部に保持する保持部を備え、
前記表示部と、前記固定部に取り付けられた前記撮像装置とは、前記保持部を基準として独立に支持される
ことを特徴とする頭部装着型ディスプレイ。
【請求項３】
請求項１または請求項２に記載の頭部装着型ディスプレイにおいて、
前記固定部は、前記頭部装着型ディスプレイを基準とした前記撮像装置の姿勢を変更可能である
ことを特徴とする頭部装着型ディスプレイ。
【請求項４】
請求項３に記載の頭部装着型ディスプレイにおいて、
前記撮像装置の姿勢の変更量を検出する検出部をさらに備える
ことを特徴とする頭部装着型ディスプレイ。
【請求項５】
請求項４に記載の頭部装着型ディスプレイにおいて、
前記検出部は、前記撮像装置における光軸と、前記表示部の表示方向との差異に基づいて、前記変更量を検出する
ことを特徴とする頭部装着型ディスプレイ。
【請求項６】
請求項４に記載の頭部装着型ディスプレイにおいて、
前記表示部は、前記検出部による検出結果を表示する
ことを特徴とする頭部装着型ディスプレイ。
【発明の詳細な説明】
【技術分野】
【０００１】
本発明は、表示部を備え、ユーザの頭部に装着可能な頭部装着型ディスプレイに関する。
【背景技術】
【０００２】
従来より、ユーザの身体に装着可能な身体装着型ディスプレイにおいて、ＣＣＤカメラなどの撮像部を備えたものが知られている（例えば、特許文献１）。特許文献１の発明は、表示ユニットの周囲に、「外界に提示されているバーコードを読み取るバーコード読み取り手段」や「外界の情報を光学的に読み取る情報読み取り手段」を備えている。
【特許文献１】ＷＯ９７／３１４７７
【発明の開示】
【発明が解決しようとする課題】
【０００３】
しかし、身体装着型ディスプレイにおいて撮像部が適切に設置されていない場合、ユーザが身体装着型ディスプレイにより観察している画像と撮像部により生成される画像とにずれが生じ、撮影感覚をつかみにくいという問題がある。
また、撮像部を身体装着型ディスプレイに備える際には、ディスプレイが大型化するとともに複雑化することが懸念される。そのため、上述した特許文献１の身体装着型ディスプレイと同等の効果を得るために、外界を撮像する機能を備えない身体装着型ディスプレイと電子カメラとを接続し、組み合わせて使用することが考えられる。この場合には、上述した撮影感覚に関する問題はさらに顕著になる。
【０００４】
本発明は、画像を表示する表示部を備えた頭部装着型ディスプレイにおいて、頭部装着型ディスプレイと撮像装置とを接続して使用する際に、適切な撮影状態で撮影可能な頭部装着型ディスプレイを提供することを目的とする。
【課題を解決するための手段】
【０００５】
本発明の頭部装着型ディスプレイは、画像を表示する表示部を備えた頭部装着型ディスプレイにおいて、前記頭部装着型ディスプレイに対して、所定の姿勢に撮像装置を取り付け可能な固定部を備える。
なお、好ましくは、前記頭部装着型ディスプレイをユーザの頭部に保持する保持部を備え、前記表示部と、前記固定部に取り付けられた前記撮像装置とは、前記保持部を基準として独立に支持されても良い。
【０００６】
また、前記固定部は、前記頭部装着型ディスプレイを基準とした前記撮像装置の姿勢を変更可能であっても良い。
また、好ましくは、前記撮像装置の姿勢の変更量を検出する検出部をさらに備えても良い。
また、好ましくは、前記検出部は、前記撮像装置における光軸と、前記表示部の表示方向との差異に基づいて、前記変更量を検出しても良い。
【０００７】
また、好ましくは、前記表示部は、前記検出部による検出結果を表示しても良い。
【発明の効果】
【０００８】
本発明によれば、画像を表示する表示部を備えた頭部装着型ディスプレイにおいて、頭部装着型ディスプレイと撮像装置とを接続して使用する際に、適切な撮影状態で撮影が可能である。
【発明を実施するための最良の形態】
【０００９】
以下、図面に基づいて本発明の実施形態について説明する。
図１は、本発明の頭部装着型ディスプレイ１００の外観図である。以下では、「頭部装着型ディスプレイ」を「ＨＭＤ」と称する。本発明のＨＭＤ１００は、図１に示すように、電子カメラ２００と接続可能である。電子カメラ２００は、アタッチメント３００によりＨＭＤ１００と接続される（詳細は後述する）。
【００１０】
ＨＭＤ１００は、図１に示すように、スピーカ１１１、連結部１１１ａ、表示部１１２、支持アーム１１２ａを備える。装着時にスピーカ１１１はユーザの両耳に装着され、連結部１１１ａの弾性力により、スピーカ１１１がユーザの両耳に保持される。表示部１１２は、透過型ＬＣＤや有機ＥＬディスプレイなどの不図示の画像表示素子と画像表示素子の映像を拡大してユーザの眼に投影する不図示の光学系とを備える。なお、画像表示素子として、反射型ＬＣＤや、自発光型の素子を２次元的に配列したものなどの画像表示素子を用いても良い。
【００１１】
表示部１１２は、支持アーム１１２ａと一体となって形成される。支持アーム１１２ａは、ヘッドホン１１に対して、図１の矢印ａの方向にスライドして移動する。表示部１１２および支持アーム１１２ａは、画像観察時には、図１の実線で示す位置に配置される。以下では、この状態を「観察状態」と称する。また、表示部１１２および支持アーム１１２ａは、画像観察時以外の場合には、ヘッドホン１１に対して、軸ｂを中心に回動され、表示部１１２がユーザの頭頂部に配置される（図１の点線で示す位置）。この結果、表示部１１２は、画像観察時以外の場合にはユーザの頭頂部に配置され、ユーザの視界を遮らない。以下では、この状態を「退避状態」と称する。
【００１２】
なお、退避状態において、電子カメラ２００は、図１に示すように、表示部１１２と連結部１１１ａとの間に配置されるので、表示部１１２を退避状態にする際の支持アーム１１２ａの駆動を妨げない。
また、支持アーム１１２ａは、不図示の駆動部により図１の軸ｂを中心として、図１の矢印ｃの方向に回転可能である。したがって、前述した矢印ａの方向のスライドと、矢印ｃの方向の回転とにより、表示部１１２の位置をユーザの眼前に正しく調整することができる。
【００１３】
また、表示部１１２は、支持アーム１１２ａとの間にスライド部材１１２ｂと球面軸受け１１２ｃとを有し、ユーザ操作に基づいて、さらに詳細な位置および傾きなどを調整可能である。また、表示部１１２は、球面軸受け１１２ｃにより矢印ｅの方向に回転可能であるとともに、矢印ｆの方向にも回転可能である。したがって、ユーザの眼を基準とした傾きを調整可能である。また、表示部１１２は、スライド部材１１２ｂにより矢印ｇの方向にスライド可能であり、ユーザの眼を基準とした左右位置を調整可能である。また、表示部１１２は、球面軸受け１１２ｃにより矢印ｉの方向に回転可能である。したがって、ユーザの眼の光軸と垂直な面内における傾きを調整可能である。
【００１４】
電子カメラ２００は、図１に示すように、前面に撮影レンズ２１１を備える。
図２は、本発明のＨＭＤ１００および電子カメラ２００の機能ブロック図である。
ＨＭＤ１００は、図２に示すように、スピーカ１１１、表示部１１２に加えて、操作部１１３、表示部１１２への表示を制御する表示制御部１１４、ケーブルなどを介して電子カメラ２００やコンピュータなどの外部機器と接続する接続部１１５、表示部１１２に表示する画像情報、スピーカ１１１に出力する音声情報などを記憶する記憶部１１６、ＨＭＤ１００とアタッチメント３００との接続状態などを検出する検出部１１７（詳細は後述する）、各部を制御する制御部１１８の各部を備える。
【００１５】
操作部１１３は、不図示の電源ボタン、各種設定ボタンなどを備える。操作部１１３は、ユーザの側頭部、右耳のスピーカ１１１近傍に配置されても良いし、リモートコントローラのようにＨＭＤ１００の外部に備えられても良い。この場合、リモートコントローラとＨＭＤ１００とは無線で接続されても良いし、有線で接続されても良い。
電子カメラ２００は、図２に示すように、図１に示した撮影レンズ２１１や不図示の撮像素子を有する撮像部２１２を備える。
【００１６】
制御部１１８は、表示制御部１１４、接続部１１５、記憶部１１６の各部と相互に接続される。また、表示制御部１１４の出力は表示部１１２に接続され、接続部１１５と電子カメラ２００の撮像部２１２とは相互に接続される。制御部１１８は、操作部１１３および検出部１１７の状態を検知するとともに、操作部１１３を介して行われるユーザ指示にしたがって、スピーカ１１１に対する音声の再生や、表示部１１２に対する画像の表示を行う。また、制御部１１８は、操作部１１３を介して行われるユーザ指示にしたがって、接続部１１５を介して撮像部２１２による撮像を行う。なお、制御部１１８は、撮像部２１２により生成された画像情報を接続部１１５を介して取得し、表示制御部１１４を介して表示部１１２に表示しても良い。構図確認中に生成される画像（いわゆるスルー画像）の画像情報を表示部１１２に表示することにより、ＨＭＤ１００の表示部１１２を電子カメラ２００のファインダーとして使用することができる。
【００１７】
次に、ＨＭＤ１００に対する電子カメラ２００の接続について説明する。電子カメラ２００は、図３に示すように、アタッチメント３００を介してＨＭＤ１００の連結部１１１ａに接続される。
図４は、各部の詳細を示す図である。図４Ａは、電子カメラ２００の底面を示す図（図３Ａの矢印ａ方向から見た図）である。また、図４Ｂは、アタッチメント３００の上面図（図３Ｂの矢印ｂ方向から見た図）であり、図４Ｃは、アタッチメント３００の下面図（図３Ｂの矢印ｃ方向から見た図）である。また、図４Ｄは、アタッチメント３００の前面図（図３Ｂの矢印ｄ方向から見た図）であり、図４Ｅは、アタッチメント３００の側面図（図３Ｂの矢印ｅ方向から見た図）である。また、図４Ｆは、連結部１１１ａの前面図（図３Ｃの矢印ｆ方向から見た図）であり、図４Ｇは、連結部１１１ａの上面図（図３Ｃの矢印ｇ方向から見た図）である。なお、図４Ｄおよび図４Ｆについては、構成を分かりくするために内面図を示す。
【００１８】
電子カメラ２００は、図４Ａに示すように、底面に三脚座２２０を備える。
アタッチメント３００は、図４Ｂおよび図４Ｃに示すように、三脚座２２０に対応するネジ穴３２０を備える。また、アタッチメント３００は、下面に検出用磁石Ｍ１からＭ６を備えるとともに、２つの凸部３２１および３２２を備える。検出用磁石Ｍ１からＭ６は、小型の磁石が互い違いの着磁方向で連続的に配置されたものであり、図４Ｃに示すように、ネジ穴３２０の周囲に配置される。また、凸部３２１および３２２は、図４Ｄに示すように、バネと球状の部材とからなる。さらに、アタッチメント３００は、図４Ｂおよび図４Ｅに示すように、前面側にアタッチメント３００の外装と平行なガイド３２３を備える。
【００１９】
連結部１１１ａは、図４Ｆおよび図４Ｇに示すように、三脚座２２０およびアタッチメント３００のネジ穴３２０に対応するネジ穴１５０を備える。また、連結部１１１ａは、アタッチメント３００の２つの凸部３２１および３２２にそれぞれ対応する２つの凹部１５１および１５２を備える。また、連結部１１１ａは、アタッチメント３００の検出用磁石Ｍ１からＭ６に対応するホール素子１５３を備える。
【００２０】
図５Ａは、ＨＭＤ１００と電子カメラ２００とアタッチメント３００とを接続した際の前面図である。また、図５Ｂは、図５Ａを矢印ｈ方向から見た図である。
上述した構成のＨＭＤ１００と電子カメラ２００とアタッチメント３００とは、図５Ａに示すように、ネジ４０１および４０２により接続される。
まず、電子カメラ２００とアタッチメント３００とを、ネジ４０１により固定する。ネジ４０１は、アタッチメント３００のネジ穴３２０を通り、電子カメラ２００の三脚座２２０に固定される。なお、電子カメラ２００とアタッチメント３００とは、ネジ４０１により回転不可能な状態に固定される。
【００２１】
このとき、電子カメラ２００は、図５Ｂに示すように、アタッチメント３００のガイド３２３に接するようにアタッチメント３００に固定される。その結果、アタッチメント３００の前面側の外装と電子カメラ２００における光軸とは垂直に固定されることになる。
なお、ガイド３２３の構成はこの例に限定されない。ＨＭＤ１００に対して、所定の姿勢に電子カメラ２００を取り付け可能であれば、どのようなデザインであっても良い。
【００２２】
次に、電子カメラ２００を固定したアタッチメント３００と、ＨＭＤ１００の連結部１１１ａとを、ネジ４０２により接続する。ネジ４０２は、連結部１１１ａのネジ穴１５０を通り、上述したネジ４０１に接続される。
このとき、アタッチメント３００の凸部３２１および３２２は、それぞれＨＭＤ１００の連結部１１１ａの凹部１５１および１５２にはめ込まれる。その結果、電子カメラ２００を固定したアタッチメント３００と連結部１１１ａとは平行に接続されることになる。なお、アタッチメント３００の前面側の外装と電子カメラ２００における光軸とは垂直に固定されているので、連結部１１１ａと電子カメラ２００における光軸とは垂直に配置されることになる。
【００２３】
また、ネジ４０２は、電子カメラ２００を固定したアタッチメント３００と連結部１１１ａとを回転可能な状態に接続する。アタッチメント３００の凸部３２１および３２２は、上述したように、バネと球状の部材とからなるため、アタッチメント３００を連結部１１１ａに対して押しつけた状態で、アタッチメント３００を連結部１１１ａに対して回転させることが可能である。図６Ａは、アタッチメント３００の凸部３２１および３２２が、それぞれ連結部１１１ａの凹部１５１および１５２にはめ込まれた状態（以下、「基準状態」と称する）を示し、図６Ｂは、電子カメラ２００を固定したアタッチメント３００を連結部１１１ａに対して回転させた状態を示す。電子カメラ２００を固定したアタッチメント３００は、図６Ａおよび図６Ｂに示すように、回転軸ｓを中心として、矢印ｉの方向に回転可能である。なお、回転軸ｓは、電子カメラ２００の三脚座２２０と、アタッチメント３００のネジ穴３２０と、連結部１１１ａのネジ穴１５０とを結ぶ直線に対応する。
【００２４】
図５および図６に示した接続状態において、ＨＭＤ１００と電子カメラ２００とは、アタッチメント３００を介して電気的に接続される。そして、制御信号、画像情報、音声情報などの各種情報が相互に供給される。
また、図５および図６に示した接続状態において、表示部１１２と、電子カメラ２００とは連結部１１１ａを基準として独立に支持される（図１参照）。したがって、接続状態において、電子カメラ２００の安定性が高く、また、表示部１１２の振動が電子カメラ２００に影響しにくいので、電子カメラ２００による撮像時のブレを抑えることができる。
【００２５】
次に、以上説明したＨＭＤ１００と電子カメラ２００とを接続して撮像を行う際の制御部１１８の動作について説明する。ユーザは、ＨＭＤ１００の操作部１１３を操作することにより、撮像部２１２による撮像指示を行う。
ＨＭＤ１００と電子カメラ２００とを接続して撮像を行う際には、上述したように、表示部１１２をファインダーとして被写体像を撮像する。このとき、ユーザがＨＭＤ１００の表示部１１２により観察している画像と電子カメラ２００により生成される画像とが略一致するのが適切な撮影状態である。ユーザが表示部１１２により観察している画像と電子カメラ２００により生成される画像とが略一致するためには、電子カメラ２００における光軸と表示部１１２の表示方向とが平行であることが好ましい。電子カメラ２００における光軸と表示部１１２の表示方向とが平行でない場合には、ユーザが表示部１１２により観察している画像と電子カメラ２００により生成される画像とにずれが生じ、撮影感覚をつかみにくい。
【００２６】
そこで、制御部１１８は、電子カメラ２００における光軸と表示部１１２の表示方向との差異を求め、適切な撮影状態であるか否かを検出する。なお、制御部１１８は、表示部１１２の位置および向きの調整が正しく行われ、表示部１１２の表示方向が、ユーザの眼の光軸と平行であるものとして、以下の処理を行う。
検出部１１７は、ＨＭＤ１００とアタッチメント３００との接続状態を検出する。図７に基準状態におけるＨＭＤ１００を上部から見た図を示す。基準状態において、アタッチメント３００の外装は、連結部１１１ａと平行であるはずである。しかし、アタッチメント３００が基準状態に正しく接続されていない場合、アタッチメント３００の外装と連結部１１１ａとが平行でなくなる。
【００２７】
アタッチメント３００が連結部１１１ａに対して回転すると、ホール素子１５３の近傍を検出用磁石Ｍ１からＭ６が順次通過する。検出部１１７は、ホール素子１５３の抵抗値に基づいて回転角度を検出する。この回転角度が、連結部１１１ａに対するアタッチメント３００の回転ずれを示す。そして、検出部１１７は、検出した回転角度を制御部１１８に出力する。
【００２８】
制御部１１８は、検出部１１７から取得した回転角度に基づいて、電子カメラ２００における光軸と、表示部１１２の表示方向との差異を求める。検出部１１７により検出した回転角度は、アタッチメント３００の前面の外装と連結部１１１ａとの成す角度である。図７において、アタッチメント３００の前面の外装と電子カメラ２００における光軸ｊとは常に垂直であり、連結部１１１ａは、左右のスピーカ１１１を結ぶ直線ｋと平行であるため、上述した回転角度に基づいて、電子カメラ２００における光軸ｊと左右のスピーカ１１１を結ぶ直線ｋとの成す角度を求めることができる。また、左右のスピーカ１１１を結ぶ直線ｋとユーザの眼の光軸とは垂直であり、ユーザの眼の光軸と表示部１１２の表示方向ｐとは平行であるため、左右のスピーカ１１１を結ぶ直線ｋと表示部１１２の表示方向ｐとは垂直である。したがって、電子カメラ２００における光軸ｊと左右のスピーカ１１１を結ぶ直線ｋとの成す角度に基づいて、電子カメラ２００における光軸ｊと表示部１１２の表示方向ｐとの成す角度を求めることができる。最終的に求めたこの角度が、電子カメラ２００における光軸と表示部１１２の表示方向との差異であり、この差異に基づいて、制御部１１８は、適切な撮影状態であるか否かを検出することができる。
【００２９】
検出結果により適切な撮影状態でないと判断される場合、制御部１１８は、表示制御部１１４を介して、表示部１１２に検出部１１７による検出結果を表示する。図８Ａに検出結果の表示例を示す。制御部１１８は、図８Ａに示すように、電子カメラ２００における光軸と表示部１１２の表示方向との差異を示すメッセージｍ１を表示部１１２に表示することにより、ユーザに最適な撮影状態でないことを提示し、電子カメラ２００を固定したアタッチメント３００の調整を促す。なお、ＨＭＤ１００に電子カメラ２００の姿勢を自動で調整可能な機構を備え、電子カメラ２００における光軸と表示部１１２の表示方向との差異に基づいて、電子カメラ２００の姿勢を自動で調整する構成としても良い。
【００３０】
なお、表示部１１２は、図１で説明したように、詳細な位置および傾きなどを調整可能である。そのため、電子カメラ２００がアタッチメント３００を介してＨＭＤ１００に正しく接続されていても、表示部１１２が適切な位置および傾きに調整されていない場合には、電子カメラ２００における光軸と表示部１１２の表示方向とが平行にならない。このような場合、ユーザがＨＭＤ１００の表示部１１２により観察している画像と電子カメラ２００により生成される画像とにずれが生じてしまう。そこで、制御部１１８は、表示部１１２の調整状態を加味して、電子カメラ２００における光軸と表示部１１２の表示方向との差異を求めても良い。
【００３１】
検出部１１７は、左耳のスピーカ１１１と支持アーム１１２ａとの接続部分ｍ（図７参照）における調整角度θ１と、支持アーム１１２ａと表示部１１２との接続部分ｎ（図７参照）における調整角度θ２とを検出し、制御部１１８に出力する。
制御部１１８は、検出部１１７から取得した検出結果に基づいて、電子カメラ２００における光軸と、表示部１１２の表示方向との差異を求める。制御部１１８は、電子カメラ２００における光軸ｊと左右のスピーカ１１１を結ぶ直線ｋとの成す角度に基づいて、電子カメラ２００における光軸ｊと表示部１１２の表示方向ｐとの成す角度を求める際に、接続部分ｍにおける調整角度θ１と接続部分ｎにおける調整角度θ２とを加味する。この結果、電子カメラ２００における光軸と表示部１１２の表示方向とのより正確な差異を求めることができる。そのため、ＨＭＤ１００に対する電子カメラ２００の接続と表示部１１２の調整との少なくとも一方が正しく行われていない場合にも、適切な撮影状態であるか否かを正確に把握することができる。
【００３２】
なお、電子カメラ２００が固定されたアタッチメント３００を、ユーザが意図的に回転させている場合、検出部１１７による検出結果を、電子カメラ２００の姿勢を示す数値として、表示部１１２に表示する構成としても良い。図８Ｂに表示例を示す。制御部１１８は、図８Ｂに示すように、電子カメラ２００の姿勢を示す数値を表すメッセージｍ２を表示部１１２に表示することにより、ユーザに電子カメラ２００の姿勢を示す数値を提示することができる。なお、ＨＭＤ１００にＧＰＳを備えている場合には、電子カメラ２００の姿勢を示す数値を表すメッセージｍ２に加えてＧＰＳによる検出結果を表示しても良い。
【００３３】
なお、本実施形態で説明した以外の場所に電子カメラなどの撮像装置を接続可能としても良い。例えば、図９に示すように、ＨＭＤ１００の右耳のスピーカ１１１の近傍に撮像装置を固定可能な構成としても良い。このような構成においては、矢印ｑの方向に撮像装置を回転可能に構成すると良い。図９に示すように、ユーザの側頭部に撮像装置を配置すると、表示部との間の重量バランスに優れ、他の部分の調整状態を変えることなく撮像装置の回転などの調整が可能である。
【００３４】
また、例えば、図１０に示すように、支持アーム１１２ａの一部に撮像装置を接続可能な構成としても良い。このような構成においては、矢印ｒの方向に撮像装置を回転可能な構成にすると良い。図１０に示すように、ユーザの眼の側方に撮像装置を配置すると、ユーザの視線に近い位置に撮像装置を配置することができる。さらに、矢印ｔの方向にも回転可能な構成とすると、ユーザの眼と同期して撮像装置の姿勢を変更することが可能になる。
【００３５】
逆に、本実施形態の図１で説明したように、ユーザの頭頂部に撮像装置を配置すると、ユーザの重心部分に撮像装置が配置されるので、左右の重量バランスに優れ、表示部１１２の退避状態において、コンパクトな収納状態を実現することができる。
なお、図９および図１０の例において、撮像装置は、表示部１１２の支持アーム１１１ａの可動を妨げないように配置されるのが好ましい。そのため、表示部１１２の退避のための機構と干渉しない位置に撮像装置を接続すると良い。
【００３６】
以上説明したように、本実施形態によれば、画像を表示する表示部を備えた頭部装着型ディスプレイにおいて、頭部装着型ディスプレイに対して、所定の姿勢に撮像装置を取り付け可能な固定部を備える。したがって、画像を表示する表示部を備えた頭部装着型ディスプレイにおいて、頭部装着型ディスプレイと撮像装置とを接続して使用する際に、適切な撮影状態で撮影が可能である。
【００３７】
また、本実施形態によれば、頭部装着型ディスプレイをユーザの頭部に保持する保持部を備え、表示部と、固定部に取り付けられた撮像装置とは、保持部を基準として独立に支持される。したがって、安定性が高く、また、表示部の振動が撮像装置に影響しにくいので、撮像装置による撮像時のブレを抑えることができる。特に、図１０に示した構成においては、左右のスピーカを結ぶ直線の近傍に撮像装置が配置されるので、表示部の振動による影響をより受けにくい。
【００３８】
また、本実施形態によれば、固定部は、頭部装着型ディスプレイを基準とした撮像装置の姿勢を変更可能である。したがって、撮像装置の姿勢を微調整することができるとともに、意図的に所定の姿勢とは異なる姿勢に撮像装置を調整することにより、ユーザの希望に添った撮影を行うことができる。
また、本実施形態によれば、撮像装置の姿勢の変更量を検出する検出部をさらに備える。したがって、頭部装着型ディスプレイに対する撮像装置の姿勢の変化を把握することができる。
【００３９】
また、本実施形態によれば、検出部は、撮像装置における光軸と、表示部の表示方向との差異に基づいて、変更量を検出する。したがって、頭部装着型ディスプレイに対する撮像装置の姿勢の変化をより的確に把握することができる。
また、本実施形態によれば、表示部は、検出部による検出結果を表示する。したがって、適切な撮影状態に撮像装置の姿勢を調整するための情報をユーザに対して提示することができる。
【００４０】
なお、本実施形態では、電子カメラ２００が、アタッチメント３００を介してＨＭＤ１００の連結部１１１ａに接続される例を示したが、ＨＭＤ１００に対して、所定の姿勢に電子カメラ２００を取り付け可能であれば、ＨＭＤ１００の連結部１１１ａにアタッチメント３００と同様の機構を予め設ける構成としても良い。また、電子カメラ２００にアタッチメント３００と同様の機構を予め設ける構成としても良い。
【００４１】
また、アタッチメントは、各カメラ毎に用意しても良いし、複数のカメラに適用可能に構成しても良い。
また、本実施形態では、アタッチメント３００を介して、ＨＭＤ１００と電子カメラ２００とを電気的に接続する構成を示したが、ＨＭＤ１００に対して、所定の姿勢に電子カメラ２００を取り付け可能であれば、ケーブルなどの有線や無線によりＨＭＤ１００と電子カメラ２００とを電気的に接続する構成であっても良い。
【００４２】
また、本実施形態では、ＨＭＤ１００と電子カメラ２００とアタッチメント３００とを電子カメラ２００の三脚座２２０を基準として接続する例を示したが、三脚座２２０と独立に接続する構成としても良い。例えば、電子カメラ２００とアタッチメント３００とを三脚座２２０を基準として固定し、アタッチメント３００とＨＭＤ１００とを三脚座２２０と独立に接続する構成としても良い。
【００４３】
また、本実施形態では、電子カメラ２００における光軸と、表示部１１２の表示方向とが平行になる状態を基準状態としたが、この基準状態を、ユーザの眼の輻輳角度などに応じて、適宜調整しても良い。
また、本実施形態では、アタッチメント３００にガイド３２３を備えることによりアタッチメント３００の前面側の外装と電子カメラ２００における光軸とを垂直に固定する例を示したが、三脚座２２０の深さの設計などにより、ガイド３２３を備えずに、アタッチメント３００の前面側の外装と電子カメラ２００における光軸とを垂直に固定する構成としても良い。
【００４４】
また、本実施形態では、左右のスピーカ１１１を結ぶ直線ｋを基準として各部の検出を行う例を示したが、他の部分を基準としても良い。例えば、支持アーム１１１ａを基準としても良い。
また、本実施形態では、ＨＭＤ１００と電子カメラ２００とを、アタッチメント３００を介して電気的に接続し、制御信号、画像情報、音声情報などの各種情報を相互に供給する例を示した。しかし、制御信号、画像情報、音声情報の全てをアタッチメント３００を介して相互に供給しなくても良い。例えば、画像情報のみを電子カメラ２００からＨＭＤ１００に供給可能に構成し、ＨＭＤ１００をファインダーとして使用するとともに、電子カメラ２００の操作部によりユーザの撮像指示を受け付ける構成としても良い。また、制御情報のみをＨＭＤ１００から電子カメラ２００に供給可能に構成し、ＨＭＤ１００の操作部１１３によりユーザの撮像指示を受け付ける構成としても良い。
【００４５】
また、本実施形態では、ＨＭＤ１００に対応した電子カメラ２００を、ＨＭＤ１００に接続する例を示したが、一般的な電子カメラなどの撮像装置をＨＭＤ１００に対して接続可能な構成としても良い。この場合、撮像装置の取り付け位置や取り付け方向に応じて、適宜処理を行えば良い。例えば、図９に示したように、ユーザの側頭部に撮像装置を配置する場合、撮像装置を９０°回転させて配置するときには、画像の表示時に画像を同様に９０°回転させれば良い。
【００４６】
また、電子カメラ２００が、マイクなどの音声情報取得機能を備える場合には、音声情報についても、本実施形態で説明した画像情報と同様に転送可能とすれば良い。
また、本実施形態では、ＨＭＤ１００に対して電子カメラ２００を回転可能に構成する例を示したが、回転する以外に、前後、左右、上下の少なくとも１つの方向において、ＨＭＤ１００に対して電子カメラ２００をスライド可能に構成しても良い。また、ＨＭＤ１００に対して電子カメラ２００を回転かつスライド可能に構成しても良い。
【００４７】
また、本実施形態で説明した構成以外の頭部装着型ディスプレイにも本発明を同様に適用することができる。例えば、表示部を頭頂部方向に跳ね上げるオーバーヘッドアーム形状の頭部装着型ディスプレイの代わりに、表示部をスライド式に出し入れする頭部装着型ディスプレイにも本発明を同様に適用することができる。また、本実施形態において、支持アーム１１２ａを反対側に回転させることにより、ユーザの右眼側に表示部１１２を配置可能な構成の頭部装着型ディスプレイにも本発明を同様に適用することができる。この場合、アタッチメント３００を本実施形態と逆向きに連結部１１１ａに接続することにより、本実施形態と同様の効果を得ることができる。
【００４８】
また、本実施形態では、片側のみに表示部を備える例を示したが、両側に表示部を備える頭部装着型ディスプレイにも同様に本発明を適用することができる。
また、ユーザの肩の部分などに支持部材を備える身体装着型ディスプレイにも本発明を同様に適用することができる。
【図面の簡単な説明】
【００４９】
【図１】本発明のＨＭＤの外観図である。
【図２】本発明のＨＭＤの機能ブロック図である。
【図３】ＨＭＤ１００に対する電子カメラ２００の接続について説明する図である。
【図４】各部の詳細を示す図である。
【図５】ＨＭＤ１００と電子カメラ２００とアタッチメント３００とを接続した際の前面図および側面図である。
【図６】アタッチメント３００の回転について説明する図である。
【図７】基準状態におけるＨＭＤ１００を上部から見た図を示す。
【図８】検出結果の表示例を示す図である。
【図９】本発明のＨＭＤの別の外観図である。
【図１０】本発明のＨＭＤの別の外観図である。
【符号の説明】
【００５０】
１００…ＨＭＤ，１１１…スピーカ，１１１ａ…連結部，１１２…表示部，１１８…制御部，１５０・３２０…ネジ穴，１５１・１５２…凹部，１５３…ホール素子，２００…電子カメラ，２１２…撮像部，２２０…三脚座，３００…アタッチメント，３２１・３２２…凸部，３２３…ガイド，Ｍ１〜Ｍ６…検出用磁石
【図１】
2008070551.tif 000003
【図２】
2008070551.tif 000004
【図３】
2008070551.tif 000005
【図４】
2008070551.tif 000006
【図５】
2008070551.tif 000007
【図６】
2008070551.tif 000008
【図７】
2008070551.tif 000009
【図８】
2008070551.tif 000010
【図９】
2008070551.tif 000011
【図１０】
2008070551.tif 000012